(57)【要約】【課題】  斜め段を有する廻り階段の廻り部において、廻り中心付近を昇降する際の安全性が向上される廻り階段用縦型手摺装置を提供する。【解決手段】  斜め段１ａ、１ｂを有する廻り階段の廻り部１の廻り中心２付近に設けられる廻り階段用縦型手摺装置において、廻り部１の廻り中心２から両側へ突出した位置各々に縦型手摺３を相互間にスペース間隔をあけて配設したものである。ここでは、廻り部１両側の直段部４間に仕切壁５が設けられ、この仕切壁５の端部６は廻り部１の廻り中心２付近に位置しており、同仕切壁５の端部６両側角の稜線６１に沿って両縦型手摺３が配設されている。【選択図】図１
2007046332.tif 000002
【特許請求の範囲】
【請求項１】
斜め段を有する廻り階段の廻り部の廻り中心付近に設けられる廻り階段用縦型手摺装置であって、廻り部の廻り中心から両側へ突出した位置各々に縦型手摺を相互間にスペース間隔をあけて配設してなる廻り階段用縦型手摺装置。
【請求項２】
廻り部両側の直段部間に仕切壁が設けられ、この仕切壁の端部が廻り部の廻り中心付近に位置しており、同仕切壁の端部両側角の稜線に沿って両縦型手摺を配設したことを特徴とする請求項１記載の廻り階段用縦型手摺装置。
【請求項３】
仕切壁の端部両側角の稜線位置から斜め外側方へ突出した位置各々に縦型手摺を配設して、両縦型手摺間のスペース間隔寸法を仕切壁の端部厚み寸法よりも大きく設定したことを特徴とする請求項２記載の廻り階段用縦型手摺装置。
【請求項４】
縦型手摺の上下両端部分にブラケット部を設け、両ブラケット部を仕切壁の端部付近の表面に固定して仕切壁の端部両側に縦型手摺を突設したことを特徴とする請求項３記載の廻り階段用縦型手摺装置。
【発明の詳細な説明】
【技術分野】
【０００１】
本願発明は、斜め段を有する廻り階段の廻り部の廻り中心付近に設けられる廻り階段用縦型手摺装置に関するものである。
【背景技術】
【０００２】
従来から、図７に示すように、斜め段を有する廻り階段の廻り部１の廻り中心２付近に縦型手摺３を設けてなる廻り階段用縦型手摺装置は知られている（特許文献１：特開平８−２７９８８号公報）。この場合、廻り部１は斜め段で構成されているが、廻り階段には廻り部が平坦な踊り場で構成されたものもある。廻り部が平坦な踊り場でなる廻り階段にあっては、廻り部で昇降しないため姿勢が安定して安全であるが、平坦な踊り場を必要として設計上スペースの確保が困難になることがある。一方、前記のように、廻り部１が斜め段でなる廻り階段にあっては、廻り部１がコンパクトに納まって設計上スペースの確保が容易となる。
【０００３】
そして、前記のように、廻り階段の廻り部１の廻り中心２付近に縦型手摺３を設けてなる廻り階段用縦型手摺装置を採用することで、安全性も確保される。すなわち、この種の廻り階段では、廻り部１で昇降することになって姿勢が安定せず、しかも、踏み面が廻り中心２側程小さくなっており、昇降時に近道コースをとろうとすると、自然に狭い踏み面側（廻り中心２側）に寄り易くなって危険性が高まるところ、前記のものにあっては、廻り部１の廻り中心２付近を昇降する際に、縦型手摺３を握って昇降することができ、安全性が確保される。
【０００４】
また、前記のものにあっては、廻り部１両側の直段部４間に仕切壁５が設けられ、この仕切壁５の端部６が廻り部１の廻り中心２付近に位置しており、同仕切壁５の端部６に沿った上下方向に縦型手摺３が設けられている。この場合、仕切壁５の端部６の上側略半分には切欠部１０が形成されており、縦型手摺３は同切欠部１０内に設けられていて邪魔にならない。また、廻り部１の外側壁面には横型手摺８が設けられており、この横型手摺８を握って廻り部１の廻り中心２から離れた外周側を昇降することもできる。
【特許文献１】特開平８−２７９８８号公報
【発明の開示】
【発明が解決しようとする課題】
【０００５】
しかしながら、上記特許文献１に開示された従来例となる廻り階段用縦型手摺装置においては、直段部４から廻り部１に入る際、仕切壁５の端部６で縦型手摺３が隠れて見え難く、縦型手摺３を握るタイミングが遅れるものであり、また、廻り部１から直段部４へと出る際には、縦型手摺３から握る手を早く放さなければならないものであり、昇降の際に縦型手摺３を握って体を支えることのできる範囲が短く制限されて、充分には安全性が確保されないものであった。
【０００６】
本願発明は、上記背景技術に鑑みてなされたものであり、その課題は、斜め段を有する廻り階段の廻り部において、廻り中心付近を昇降する際の安全性が向上される廻り階段用縦型手摺装置を提供することである。
【課題を解決するための手段】
【０００７】
上記課題を解決するために、本願発明の廻り階段用縦型手摺装置は、斜め段を有する廻り階段の廻り部の廻り中心付近に設けられるものであって、廻り部の廻り中心から両側へ突出した位置各々に縦型手摺を相互間にスペース間隔をあけて配設してなる。
【発明の効果】
【０００８】
本願発明の階段用縦型手摺装置においては、斜め段を有する廻り階段の廻り部の廻り中心付近で、廻り部の廻り中心から両側へ突出した位置各々に縦型手摺が相互間にスペース間隔をあけて配設されるため、直段部から廻り部に入る際には予め早めから一方の縦型手摺を握っておくことができ、廻り部の中程で他方の縦型手摺に握り変えれば、廻り部から直段部へと出る際には同他方の縦型手摺を長く握り続けることもでき、全体として廻り部の廻り中心付近を昇降する際に、縦型手摺を握って体を支えることのできる範囲が長く確保されて安全性が向上される。
【発明を実施するための最良の形態】
【０００９】
図１〜図３、図４（ａ）は、本願請求項１〜４全てに対応した一実施形態である廻り階段用縦型手摺装置を示している。この実施形態の廻り階段用縦型手摺装置は、図１、図２に示すように、斜め段１ａ、１ｂを有する廻り階段の廻り部１の廻り中心２付近に設けられるものであって、廻り部１の廻り中心２から両側へ突出した位置各々に縦型手摺３を相互間にスペース間隔をあけて配設してなるものである。この場合、両縦型手摺３は略垂直で相互に略平行となるよう並設されている。
【００１０】
この実施形態の廻り階段用縦型手摺装置では、廻り部１両側の直段部４間に仕切壁５が設けられ、この仕切壁５の端部６が廻り部１の廻り中心２付近に位置しており、同仕切壁５の端部６両側角の稜線６１に沿って両縦型手摺３が配設されている。また、図４（ａ）に示すように、仕切壁５の端部６両側角の稜線６位置から斜め外側方へ突出した位置各々に縦型手摺３が配設されて、両縦型手摺３間のスペース間隔寸法Ｌが仕切壁５の端部６厚み寸法Ｔよりも大きく設定されている。また、図３にも示すように、縦型手摺３の上下両端部分にブラケット部７が設けられ、両ブラケット部７が仕切壁５の端部６付近の表面５１に固定されて、縦型手摺３は仕切壁５の端部６両側に突設されている。
【００１１】
以下、この実施形態の廻り階段用縦型手摺装置を、より具体的詳細に説明する。この実施形態の廻り階段用縦型手摺装置は、一般住宅の建物内に廻り階段の付属構成として施工されるものである。図１に示すように、廻り部１の外側壁面には横型手摺８が設けられており、この横型手摺８を握って廻り部１の廻り中心２から離れた外周側に沿って昇降することもできる。また、廻り部１両側の直段部４間を仕切る仕切壁５の両表面５１にも内側横型手摺９が付設されており、この内側横型手摺９を握って直段部４を仕切壁５に沿って昇降することができる。
【００１２】
仕切壁５の端部６の上側略半分には切欠部１０が形成されており、両縦型手摺３は両者間のスペース間隔内に同切欠部１０が位置するように配設されていて、手先を差し入れて握り易く、両縦型手摺３を握り変えるのも容易で、両縦型手摺３は仕切壁５の端部６で邪魔になり難く体裁良く納まる。この場合、仕切壁５の端部６においては、切欠部１０の両側角の稜線６１に沿って両縦型手摺３が配設されている。また、廻り部１は、図２にも示すように、３０度の斜め段１ａと６０度の斜め段１ｂとの組合せによる四段構成で、巾広となる６０度の斜め段１ｂが踊り場の役割を果たし、この平坦な場所にて体の向きを変えることができる。
【００１３】
図３、図４（ａ）に示すように、両縦型手摺３はいずれも断面円形のバー材でなり、木製丸棒材、金属製パイプ材等で形成される。縦型手摺３の上下両端部付近には棒状のブラケット部７が各々同様に結合されており、両ブラケット部７の基端が仕切壁５の端部６稜線６１付近の表面５１に固定されて、両縦型手摺３は仕切壁５の端部６両側に突設されている。この場合、図４（ａ）に示すように、両側のブラケット部７は仕切壁５の端部６から略逆ハ字状に両側外方へと拡開するように突設され、これにより、両縦型手摺３間のスペース間隔寸法Ｌが仕切壁５の端部６厚み寸法Ｔよりも大きく設定されている。
【００１４】
そのため、図３に示すように、上下のブラケット部７間において、仕切壁５の端部６稜線６１と縦型手摺３との間に手先を差し入れ、この縦型手摺３を握ることができる。ここで、図４（ａ）に示すように、ブラケット部７によって、仕切壁５の端部６稜線６１と縦型手摺３との間には、手先を差し入れるための大きなスペース（寸法Ｓ）が確保され、同縦型手摺３を容易に握ることができ、両縦型手摺３の握り変えも容易となる。
【００１５】
すなわち、図４（ｂ）に示すように、両縦型手摺３を仕切壁５の端部６から両側方へ傾斜させずに突設した場合には、両縦型手摺３間のスペース間隔寸法Ｌが大きくなって握り変え難くなり、これを改善するためにスペース間隔寸法Ｌを小さく設定すると、仕切壁５の端部６が邪魔になってこの端部６稜線６１と縦型手摺３との間のスペース（寸法Ｓ）は小さくなり、このスペースに手先を差し入れ難くなって両縦型手摺３を握り難くなる。また、図４（ｃ）に示すように、両縦型手摺３を仕切壁５の端部６から前方外側へ傾斜させずに突設した場合には、両縦型手摺３間のスペース間隔寸法Ｌが小さくなり、仕切壁５の端部６稜線６１と縦型手摺３との間のスペース（寸法Ｓ）も小さくなり、手先を差し入れ難くて両縦型手摺３を握り難くなる。
【００１６】
したがって、この実施形態の廻り階段用縦型手摺装置においては、斜め段１ａ、１ｂを有する廻り階段の廻り部１の廻り中心２付近で、この廻り中心２から両側へ突出した位置各々に縦型手摺３が相互間にスペース間隔寸法Ｌをあけて配設されるため、直段部４から廻り部１に入る際には、予め早めから一方の縦型手摺３を握っておくことができ、廻り部１の中程で他方の縦型手摺３に握り変えることにより、廻り部１から直段部４へと出る際には、同他方の縦型手摺３を長く握り続けることもでき、全体を通し結果として廻り部１の廻り中心２付近を昇降する際に、縦型手摺３を握って体を支える時間を長く確保することができて安全性が向上される。しかも、内側横型手摺９を握って昇降している直段部４で、早めに一方の縦型手摺３に握り変えてよりスムーズな昇降を行うことができる。
【００１７】
また、廻り部１両側の直段部４間には仕切壁５が設けられており、廻り階段としての構造上の強度及び安全性が向上される。そして、ここでは、仕切壁５の端部６が廻り部１の廻り中心２付近に位置することになり、同仕切壁５の端部６両側角の稜線６１に沿って上下方向となる両縦型手摺３は体裁良く配設される。しかも、この場合、仕切壁５の端部６両側角の稜線６１位置から斜め外側方へ突出した位置各々に縦型手摺３が配設されて、両縦型手摺３間のスペース間隔寸法Ｌは仕切壁５の端部６厚み寸法Ｔよりも大きく設定されているので、両縦型手摺３を容易に握ることができ、その握り変えも容易となる。
【００１８】
更に、この実施形態の廻り階段用縦型手摺装置においては、縦型手摺３の上下両端部分にブラケット部７が設けられ、両ブラケット部７が仕切壁５の端部６付近の表面５１に固定されて、両縦型手摺３は相互間にスペース間隔寸法Ｌが確保されて仕切壁５の端部６両側に突設され、確実に支持固定されている。そして、この場合、上下のブラケット部７間では、仕切壁５の端部６稜線６１と縦型手摺３との間に手先を差し入れるための大きなスペース（寸法Ｓ）が確保されて、両縦型手摺３をより握り易くなる。
【００１９】
図５、図６は、本願請求項１〜４全てに対応した別の実施形態である廻り階段用縦型手摺装置を示している。この実施形態の廻り階段用縦型手摺装置においては、図５に示すように、廻り部１が全て３０度の斜め段１ａによる六段構成である。また、図６に示すように、縦型手摺３の上下両端部分は略Ｌ字状に折曲しており、この折曲した部分がブラケット部７として一体に形成されている。なお、それ以外は、上記実施形態と同様に構成されており、上記実施形態におけると同様の作用効果が奏される。
【図面の簡単な説明】
【００２０】
【図１】本願発明の一実施形態である廻り階段用縦型手摺装置を示す斜視図。
【図２】同廻り階段用縦型手摺装置を示す概略平面図。
【図３】同廻り階段用縦型手摺装置を示す側面図。
【図４】（ａ）は同廻り階段用縦型手摺装置を示す要部断面図、（ｂ）、（ｃ）は縦型手摺の突出構成が相違する各々別形態を例示する要部断面図。
【図５】本願発明の別の実施形態である廻り階段用縦型手摺装置を示す概略平面図。
【図６】同廻り階段用縦型手摺装置を示す側面図。
【図７】従来例である廻り階段用縦型手摺装置を示す斜視図。
【符号の説明】
【００２１】
１  廻り部
１ａ、１ｂ  斜め段
２  廻り中心
３  縦型手摺
４  直段部
５  仕切壁
５１  仕切壁の表面
６  仕切壁の端部
６１  稜線
７  ブラケット部
Ｌ  スペース間隔寸法
Ｔ  仕切壁の端部厚み寸法
【図１】
2007046332.tif 000003
【図２】
2007046332.tif 000004
【図３】
2007046332.tif 000005
【図４】
2007046332.tif 000006
【図５】
2007046332.tif 000007
【図６】
2007046332.tif 000008
【図７】
2007046332.tif 000009